(57)【要約】【課題】テレビジョンの画像の表示性に優れ、しかも全体がミラー効果を有するガラス板構造体であって、ショーウィンドウや室内インテリア材料として有効に利用されるガラス板構造体を提供すること。【解決手段】薄型テレビジョンの表示面に、その表示面よりも面積が大きいガラス板が設置され、そのガラス板は、そのテレビジョンの表示面側の面に全体に亘って光透過性の金属薄膜が形成され、またガラス板のその金属薄膜面上であってテレビジョンの表示面の枠外にはさらに黒色塗膜が形成されていることを特徴とする、テレビジョンの表示面の表示性に優れかつミラー効果に優れたガラス板構造体。【選択図】図２
2012042501.tif 000002
【特許請求の範囲】
【請求項１】
薄型テレビジョンの表示面に、その表示面よりも面積が大きいガラス板が設置され、そのガラス板は、そのテレビジョンの表示面側の面に全体に亘って光透過性の金属薄膜が形成され、またガラス板のその金属薄膜面上であってテレビジョンの表示面の枠外にはさらに黒色塗膜が形成されていることを特徴とする、テレビジョンの表示面の表示性に優れかつミラー効果に優れたガラス板構造体。
【請求項２】
該金属薄膜は、真空蒸着法またはスパッタリング法によりガラス板面に形成された金属薄膜である請求項１記載のガラス板構造体。
【請求項３】
該金属薄膜は、アルミニウム金属薄膜である請求項１記載のガラス板構造体。
【請求項４】
該金属薄膜が形成されたガラス板は、可視光の透過率（波長５５０ｎｍ）が１８〜３０％である請求項１記載のガラス板構造体。
【請求項５】
該金属薄膜が形成されたガラス板は、可視光の反射率が２０〜３０％である請求項１記載のガラス板構造体。
【請求項６】
該黒色塗膜は、黒色顔料を含有する２液型エポキシ樹脂塗料を塗布して形成された塗膜である請求項１記載のガラス板構造体。
【発明の詳細な説明】
【技術分野】
【０００１】
本発明は、薄型テレビジョンの表示面に、その表示面より面積が大きいガラス板が設置された構造体に関する。さらに詳しくはテレビジョンが表示されている時にはガラス板上にテレビジョンが表示され、テレビジョンが表示されていない時にはガラス板はミラー効果に優れたガラス板構造体に関する。
【背景技術】
【０００２】
ガラス板は、透明性、耐久性および強度に優れ、建物や家居の窓や間仕切り材料として古くから使用されている。一方ガラス板の表面に種々の加工を施し、色々な機能を付与した特殊ガラスが開発され、実用化されている。その１つは、ガラス板の表面に金属薄膜を真空蒸着法やスパッタリング法などにより形成させたガラス板がある。
【０００３】
この金属薄膜加工したガラス板は、金属の種類や膜厚にもよるが、太陽光（自然光）の遮蔽性能に優れ、省エネ効果、紫外線カットの効果を有するので、最近広く利用されている。一方この金属薄膜加工したガラス板の中で、比較的光透過率が低く、可視光の反射率が高いガラス板は、装飾カラス窓や室内インテリア材料として注目されている。例えば、前記金属薄膜加工したガラス板は、窓ガラス、室内パーティション、展示パネルなどの材料として使用すると、自然光の遮蔽効果のみならず、ガラス板がハーフミラー効果として機能する。
【０００４】
このハーフミラー効果は、このガラス板を介して観察した場合、内外の明るさに応じて光の遮蔽効果および反射効果が変化する。例えば、前記ガラス板の窓を介して、室外から室内を見れば、昼間はミラー効果の働きにより、室内の様子や状態は、鮮明に観察され難いが、逆に室外より室内が明るくなると、室外から室内の様子が比較的良く見ることができる。
【０００５】
前記ハーフミラー効果を有するガラス板は、テレビジョン（以下単に“ＴＶ”）と略称することがある）の画像表示面の前に設置すると、ＴＶ画像が表示されている場合、ＴＶ画像は、通常のように見ることができるが、ＴＶの電源を切った場合には、当然のことながらＴＶ画像は見ることができないが、ＴＶ自体の存在が殆ど分からなくなる。
【発明の概要】
【発明が解決しようとする課題】
【０００６】
前述したハーフミラー効果を有するガラス板の後にＴＶを設置した構造体は、ショーウィンドウとして、例えば、販売店の宣伝、広告、案内、展示などに利用され、また室内の間仕切り材料として、展示パネルとＴＶ画像を同時に表示される室内インテリアとして使用されている。
前記ハーフミラー機能を有するガラス板は、適当なミラー効果及び光透過性を有する。しかしＴＶ画像が表示されている場合は、ＴＶ画像に注目が集中するが、ＴＶの電源が切られるとＴＶ本体の存在が顕在化し、ＴＶ本体以外の部分の様子が比較的良く見えるようになる。このようにＴＶの電源が切られた場合でも前記ガラス板を介してＴＶ本体以外の様子が明瞭に見られない程度の強いミラー効果が所望される場合もある。
【課題を解決するための手段】
【０００７】
そこで、本発明者は、ＴＶの画像が表示されている場合は、ＴＶの画像がガラス板を介して鮮明に観察でき、ＴＶの電源が切られている場合はガラス板を介してＴＶ本体の存在が殆ど認知されず、その上ガラス板の表裏において明るさの差があまりない場合、一方の様子が他方から明瞭に観察することができないか或いは殆ど判別できない構造体の開発について研究を進めた。
その結果、ハーフミラー機能を有するガラス板をＴＶの画像表示面に設置し、そのＴＶの画像表示面以外のガラス板の領域に黒色塗料を塗布して塗膜を形成させた構造物は、その構造物を例えばウインド・ガラスとして使用するか或いはウインドの内側に設置すると、ミラー効果が一層高まり、一方より他方が明るくなった場合でも、他方の様子を殆ど観察されないばかりでなく、ＴＶの画像が表示されている時には、ＴＶの画像の存在がより鮮明に映し出され、またＴＶの電源が切られた場合には、ＴＶ本体の存在が殆ど認知されない効果となり、ガラス板が全体として優れたミラー効果を奏し得ることが判った。
【０００８】
本発明は、前記知見に基づいて完成されたものであり、本発明によれば、薄型テレビジョンの表示面に、その表示面よりも面積が大きいガラス板が設置され、そのガラス板は、そのテレビジョンの表示面側の面全体を亘って光透過性の金属薄膜が形成され、またガラス板のその金属薄膜上であってテレビジョンの表示面の枠外にはさらに黒色塗膜が形成されていることを特徴とする、テレビジョンの表示面の表示性に優れかつミラー効果に優れたガラス板構造体が提供される。
さらに、本発明のガラス板構造体においては、下記（１）〜（５）の態様であることが好ましい。
（１）該金属薄膜は真空蒸着法またはスパッタリング法によりガラス板表面に形成され
た金属薄膜であること。
（２）該金属薄膜は、アルミニウム金属薄膜であること。
（３）該金属薄膜が形成されたガラス板は、可視光の透過率（波長５５０ｎｍ）が１８
〜３０％であること。
（４）該金属薄膜が形成されたガラス板は可視光の反射率が２０〜３０％であること。
（５）該黒色塗膜は黒色顔料を含有する２液型エポキシ樹脂塗料を塗布して形成された
塗膜であること。
【発明の効果】
【０００９】
本発明のガラス板構造体は、ミラー効果が強く、またＴＶの画像の表示性に優れたものである。またＴＶの電源が切られている場合、全体がミラー効果として機能するばかりでなく、全体が黒色素のミラー効果が強調されているものである。またＴＶの画像の表示面がその周囲の黒色素のミラー面から強いコントラストで鮮明に浮き出されたものとなり、装飾性やデザイン性にも優れたものである。
【図面の簡単な説明】
【００１０】
【図１】本発明のガラス板構造体の正面図を示す。
【図２】図１のガラス板構造体のＸ―Ｘ’方向の断面図を示す。
【発明を実施するための形態】
【００１１】
以下本発明のガラス板構造体を図面により具体的に説明する。図１は、本発明のガラス板構造体１の正面図を示す。図１において、ガラス板の中にＴＶ画像の表示面３が点線の枠内で示されている。図１のガラス板２は、横方向が縦方向よりも長い矩形をしているが、逆に縦方向が横方向よりも長い矩形であってもより。また正四角形であってもよい。図１では、ＴＶ画像の表示面３は１個であるが、複数個であっても差支えない。
【００１２】
図１のガラス板２の中にあるＴＶ画像の表示面３の裏側（図１の反対面）には、ＴＶがその表示面をガラス板に向けて設置されている。ガラス板２はその裏面（ＴＶ側面）の表面には全体に亘って光透過性の金属薄膜が形成されている。この金属薄膜の形成によって、ハーフミラー効果が得られる。さらに、ガラス板２のＴＶ画像の表示面３の枠外（つまり点線で囲まれる領域よりも外の部分）は、金属薄膜の表面に黒色塗膜が形成されている。言い換えるとＴＶ画像の表示面３の枠内領域（点線の中）は、ガラス板２の表面には金属薄膜のみが形成され、ＴＶ画像の表示面３の枠外には、ガラス板の表面には、金属薄膜と黒色塗膜が形成されている。ＴＶ画像の表示面３の外枠の近辺には、センサー窓７を有することができる。
【００１３】
図２は、図１のガラス板構造体１の平面図において、Ｘ―Ｘ’方向の断面図を示す。図２のガラス板２のＴＶ本体４側の面には、全体に亘って金属薄膜５が形成されている。また、図２のガラス板２には、ＴＶ本体４が設置されている。また、図２に示されているように、ＴＶ画像の表示面の枠外のガラス板２の表面には、金属薄膜５の表面に黒色塗膜６が形成されている。
図２において、ＴＶ本体４はその画像の表示面が図１における点線の枠内に位置するようにガラス板２に設置すればよく、その設置手段に特に制限されない。ガラス板２とＴＶ画像の表示面とは、好ましくは５〜１０ｍｍの範囲の間隔を有しているのが望ましい。
【００１４】
ＴＶ本体４は、ＴＶ画像の表示面の周囲に額縁を介してガラス板２に接合した状態で固定化されていてもよく、ＴＶ本体４はガラス板２と独立して設置していてもよい。ＴＶ本体４がガラス板２と独立して設置している場合、ＴＶ本体４は天井から吊られていてもよく、また、床面に据付台を置いて、その上に設置してもよい。ガラス板２は、単板のフロートガラスが一般的に使用され、厚さは、５〜１０ｍｍ、好ましくは６〜８ｍｍのものが適当である。ガラス板２の周囲は、例えばサッシ枠を設置することもできる。
【００１５】
ガラス板２の片面に形成される金属薄膜５は、通常真空蒸着法或いはスパッタリング法によって形成されたものである。この金属薄膜５は、ガラス板２に形成されると通常ハーフミラー効果を有するものが適当である。この金属薄膜５の種類は、薄膜の形成の容易性、価格、耐久性、色再現性、透過性、反射率の点でアルミニウム薄膜であることが好ましい。
【００１６】
金属薄膜５は、ガラス板２に形成される場合、その可視光の透過率（５５０ｎｍ波長）が１８〜３０％の範囲であるのが好ましく、また可視光の反射率が２０〜３０％の範囲であることが望ましい。
【００１７】
金属薄膜５が形成された表面には黒色塗膜６が形成されるが、前述したように、この黒色塗膜６は、ＴＶ画像の表示面３には形成されるべきではない。黒色塗膜６はＴＶ画像の表示面の枠外の領域に形成される。
【００１８】
黒色塗膜６は、黒色顔料（例えばカーボンブラック）を含有する塗液をスプレー法やカレンダー印刷法によって、金属薄膜上に塗布し乾燥すればよい。特に好ましい塗膜は黒色顔料を含有する２液型エポキシ樹脂をスプレー法により塗布し、乾燥・焼付けて形成されたものである。この２液型エポキシ樹膜による塗膜は、耐熱性および耐久性に優れている。黒色塗膜は、１０〜５０μｍ、好ましくは１５〜４０μｍの厚みを有しているものが有利である。
【００１９】
黒色塗膜６の形成により、ガラス板２の表面から見た場合、ミラー効果が高まり、ＴＶ画像の存在が一層強調される。またＴＶの電源がきられた場合には、ＴＶ本体の存在が殆ど確認できず、全体がミラー効果を有することになる。
【産業上の利用可能性】
【００２０】
本発明のガラス板構造体は、黒色素のミラー効果がＴＶ画像の周囲に強調されたものであり、ＴＶ画像の表示性に優れた効果を有する。またＴＶの電源が切られた場合でも全体がミラー効果を有し、ＴＶ本体の存在を殆ど感じさせないものである。そのため、展示性、デザイン性、装飾性に優れたガラス板であって、ショーウィンドウや室内インテリアなどの材料として有効に利用しうる。
【符号の説明】
【００２１】
１；  ガラス板構造体
２；  ガラス板
３；  テレビジョン画像の表示面
４；  テレビジョン本体
５；  金属薄膜
６；  黒色塗膜
７；  センサー窓
【図１】
2012042501.tif 000003
【図２】
2012042501.tif 000004